(57)【要約】  ウインドウシェードのための締結システムが、第１及び第２のクリッピングベースと、第１及び第２のクリッピングプレートとを含む。第１の構成において、第１及び第２のクリッピングベースは、第１及び第２のクリッピングプレートの各々が第１及び第２のクリッピングベースと接触して、第１及び第２のクリッピングベースの間にそれぞれ配置された状態で、互いに取り付けられ、それによって、第１のパネルを第１のクリッピングベースと第１及び第２のクリッピングプレートとの間に保持することができ、第２のパネルを第２のクリッピングベースと第１及び第２のクリッピングプレートとの間に保持することができる。第２の構成において、第１及び第２のクリッピングベースは、第１及び第２のクリッピングプレートを伴わずに互いに取り付け可能であり、それによって、ウインドウシェードの単一のパネルを第１及び第２のクリッピングベースの間に保持することができる。
2021500159.tif 000002
【特許請求の範囲】
【請求項１】
ウインドウシェードのための締結システムであって、
第１のクリッピングベース及び第２のクリッピングベースと、
前記第１のクリッピングベースと前記第２のクリッピングベースとの間にそれぞれ位置することができる第１のクリッピングプレート及び第２のクリッピングプレートとを含み、
当該締結システムは、前記第１及び第２のクリッピングプレートの各々が、前記第１及び第２のクリッピングベースの間にそれぞれ配置され、前記第１及び第２のクリッピングベースと接触した状態で、前記第１及び第２のクリッピングベースが互いに取り付けられる、第１の構成と、前記第１及び第２のクリッピングベースの間に前記第１及び第２のクリッピングプレートを伴わずに、前記第１及び第２のクリッピングベースが互いに取り付けられる、第２の構成とを有し、当該締結システムは、前記第１の構成において、ウインドウシェードの第１のパネルを前記第１のクリッピングベースと前記第１及び第２のクリッピングプレートとの間に保持し、ウインドウシェードの第２のパネルを前記第２のクリッピングベースと前記第１及び第２のクリッピングプレートとの間に保持するように構成され、当該締結システムは、前記第２の構成において、ウインドウシェードの単一のパネルを前記第１のクリッピングベースと前記第２のクリッピングベースとの間に保持するように構成される、
締結システム。
【請求項２】
前記第１のクリッピングプレートは、前記第２のクリッピングプレート及び前記第２のクリッピングベースと無関係に、前記第１のクリッピングベースに取り付け可能であり、前記第２のクリッピングプレートは、前記第１のクリッピングプレート及び前記第１のクリッピングベースと無関係に、前記第２のクリッピングベースに取り付け可能である、請求項１に記載の締結システム。
【請求項３】
前記第１のクリッピングベースは、前記第１のクリッピングプレートを前記第１のクリッピングベースに取り付けるために前記第１のクリッピングプレートと係合可能な第１のラッチを有し、前記第２のクリッピングベースは、前記第２のクリッピングプレートを前記第２のクリッピングベースに取り付けるために前記第２のクリッピングプレートと係合可能な第２のラッチを有する、請求項２に記載の締結システム。
【請求項４】
前記第１のラッチは、前記第１及び第２のクリッピングベースの間に前記第１及び第２のクリッピングプレートを伴わずに、前記第２のクリッピングベースを前記第１のクリッピングベースに取り付けるために、前記第２のクリッピングベースと更に係合可能である、請求項３に記載の締結システム。
【請求項５】
前記第２のクリッピングベースは、前記第１及び第２のクリッピングプレートが前記第１及び第２のクリッピングベースの間に配置された状態で、前記第１のクリッピングベースを前記第２のクリッピングベースに取り付けるために、前記第１のクリッピングベースと係合可能な、第３のラッチを更に有する、請求項４に記載の締結システム。
【請求項６】
前記第１のクリッピングベースは、第１のラッチを有し、前記第２のクリッピングベースは、第２及び第３のラッチを有し、該第２及び第３のラッチは、それぞれ、異なる長さで前記第２のクリッピングベースから突出し、前記第１ラッチは、前記第１の構成にある前記第１のクリッピングプレート又は前記第２の構成にある前記第２のクリッピングベースと選択的に係合可能であり、前記第２のラッチは、前記第１の構成にある前記第２のクリッピングプレート又は前記第２の構成にある前記第１のクリッピングベースと選択的に係合可能であり、前記第３のラッチは、前記第１の構成にある前記第１のクリッピングベースと係合可能である、請求項２に記載の締結システム。
【請求項７】
前記第１、第２、及び第３のラッチのうちの１つ又はそれよりも多くは、弾性フックを含む、請求項５又は６に記載の締結システム。
【請求項８】
前記第１及び第２のクリッピングプレートは、実質的に等しい厚さを有する、請求項１乃至７のうちのいずれか１項に記載の締結システム。
【請求項９】
前記第１及び第２のクリッピングプレートの各々は、前記第１のクリッピングベースの表面積よりも小さい表面積を有する、請求項１乃至８のうちのいずれか１項に記載の締結システム。
【請求項１０】
前記第１のクリッピングベースは、第１及び第２のベース領域を有し、前記第２のクリッピングベースは、第３及び第４のベース領域を有し、前記第１及び第２のクリッピングベースは、前記第１の構成において、前記第１のクリッピングプレートが前記第１のベース領域と前記第３のベース領域との間に位置付けられ、前記第２のクリッピングプレートが前記第２のベース領域及び前記第４のベース領域との間に位置付けられた状態で、互いに取り付け可能である、請求項１乃至９のうちのいずれか１項に記載の締結システム。
【請求項１１】
前記第１及び第２のベース領域は、前記第１のクリッピングベースの同じ側に設けられ、前記第３及び第４のベース領域は、前記第２のクリッピングベースの同じ側に設けられ、前記第１及び第２の構成において、前記第１のベース領域は、前記第３のベース領域に面し、前記第２のベース領域は、前記第４のベース領域に面する、請求項１０に記載の締結システム。
【請求項１２】
前記第１のクリッピングプレートは、互いに対向する第１及び第２の表面を有し、前記第２のクリッピングプレートは、互いに対向する第３及び第４の表面を有し、前記第１のクリッピングプレートは、前記第１の表面が、ウインドウシェードの第１のパネルと接触するために前記第１のベース領域に向かって方向付けられ、前記第２の表面が、ウインドウシェードの第２のパネルと接触するために前記第３のベース領域に向かって方向付けられた状態で、前記第１のクリッピングベースと前記第２のクリッピングベースとの間に位置することができ、第２のクリッピングプレートは、前記第３の表面が、前記第１のパネルと接触するために前記第２のベース領域に向かって方向付けられ、前記第４の表面が、前記第２のパネルと接触するために前記第４のベース領域に向かって方向付けられた状態で、前記第１のクリッピングベースと前記第２のクリッピングベースとの間に位置することができる、請求項１０又は１１に記載の締結システム。
【請求項１３】
前記第１のクリッピングベースは、前記第１及び第２のベース領域に亘って分散され且つ前記第１及び第２のベース領域から突出するウインドウシェードのパネルを貫通するように構成される複数の第１の歯を含み、前記第２のクリッピングベースは、前記第３及び第４のベース領域に亘って分配され且つ前記第３及び第４のベース領域から突出するウインドウシェードのパネルを貫通するように構成される複数の第２の歯を含み、前記第１のクリッピングプレートは、前記第１のベース領域から突出する前記第１の歯の部分及び前記第３のベース領域から突出する前記第２の歯の部分を少なくとも部分的に受け入れるように構成される複数の第１の穴を含み、前記第２のクリッピングプレートは、前記第２のベース領域から突出する前記第１の歯の部分及び前記第４のベース領域から突出する前記第２の歯の部分を少なくとも部分的に受け入れるように構成される複数の第２の穴を含む、請求項１０、１１又は１２に記載の締結システム。
【請求項１４】
前記第１のクリッピングベースは、前記第２のクリッピングベースの前記第２の歯を少なくとも部分的にそれぞれ受け入れるように構成される複数の第３の穴を更に含み、前記第２のクリッピングベースは、前記第１のクリッピングベースの前記第１の歯を少なくとも部分的にそれぞれ受け入れるように構成される複数の第４の穴を更に含む、請求項１３に記載の締結システム。
【請求項１５】
前記第１のクリッピングベースは、ハンガの係合のための開口を更に含み、該開口は、前記第１及び第２のベース領域の間の接続領域に隣接して配置される、請求項１０乃至１４のうちのいずれか１項に記載の締結システム。
【請求項１６】
第１の垂直パネル、第２の垂直パネル、及び最外側の垂直パネルと、
請求項１乃至１５のうちのいずれか１項に記載の前記締結システムとを含み、前記締結システムは、前記第１の垂直パネルを前記第２の垂直パネルに隣接して連結するか或いは前記最外側の垂直パネルの外側部分と接続するのに適し、
前記締結システムの前記第１の構成は、前記第１の垂直パネルを前記第２の垂直パネルに隣接して連結するために適用され、前記第１の垂直パネルの頂部が、前記第１のクリッピングベースと前記第１及び第２のクリッピングプレートとの間に保持され、前記第２の垂直パネルの頂部が、前記第２のクリッピングベースと前記第１及び第２のクリッピングプレートとの間に保持され、前記締結システムの前記第２の構成は、前記最外側の垂直パネルの前記外側部分と接続するために適用され、前記外側部分の頂部が、前記第１のクリッピングベースと前記第２のクリッピングベースとの間に保持される、
ウインドウシェード。
【請求項１７】
前記第１及び第２の垂直パネルの各々は、それぞれ、２つの側方部分と、該２つの側方部分の間の中央部分とを含み、前記締結システムは、前記第１の垂直パネルの１つの側方部分及び前記第２の垂直パネルの１つの側方部分に隣接して配置される、請求項１６に記載のウインドウシェード。
【請求項１８】
前記第１及び第２の垂直パネルの各々にある前記２つの側方部分の各々及び前記中央部分は、異なる光透過率を有する、請求項１７に記載のウインドウシェード。
【請求項１９】
ヘッドフレームを更に含み、前記締結システムは、前記ヘッドフレームと接続される、請求項１６、１７又は１８に記載のウインドウシェード。
【発明の詳細な説明】
【技術分野】
【０００１】
（関連出願の参照）
本出願は、２０１８年６月８日に出願された米国仮特許出願第６２／６８２，２６８号の優先権を主張し、その開示を参照によって本明細書に援用する。
【０００２】
本発明は、垂直パネルを含むウインドウシェード(window  shades)と、ウインドウシェードで使用される締結システム(fastening  systems)とに関する。
【背景技術】
【０００３】
幾つかの既存のウインドウシェードは、ヘッドレールから垂直に垂れ下がる織物材料で作られた複数のパネルを含む。パネルは、従来的には、ハンガに取り付けられ、ハンガは、ヘッドレールと移動可能に組み立てられる。ハンガは、パネルを水平方向に移動させるか或いは回転させて部屋に入る光の量を制御し得るように、ヘッドレールに沿ってスライド及び回転することができる。
【０００４】
パネルをハンガに取り付けるために、通常、締結具(ファスナ)がパネルの頂部に設けられる。各締結具は、例えば、締結具に設けられた穴に係合するハンガのフックを有することによって、パネルを挟み(clip)、１つのハンガに取り付ける(attach)ことがある。実際には、従来的な締結具は、幾つかの不利点を有することがある。例えば、締結具は、パネルを適切に保持しないで、パネルの引裂きを引き起こすことがあり、且つ／或いは柔軟な使用を提供しない。
【発明の概要】
【発明が解決しようとする課題】
【０００５】
従って、ウインドウシェードで便利に使用されることができ、少なくとも前述の問題に対処することができる、改良された締結システムの必要がある。
【課題を解決するための手段】
【０００６】
本出願は、ウインドウシェードのための締結システムと、締結システムを使用するウインドウシェードとを記載する。締結システムは、第１のクリッピングベース及び第２のクリッピングベースと、第１のクリッピングベースと第２のクリッピングベースとの間にそれぞれ位置付け可能な第１のクリッピングプレート及び第２のクリッピングプレートとを含む。締結システムは、第１及び第２のクリッピングプレートの各々が第１及び第２のクリッピングベースと接触して、第１及び第２のクリッピングベースの間にそれぞれ配置された状態で、第１及び第２のクリッピングベースが互いに取り付けられる、第１の構成と、第１及び第２のクリッピングプレートが第１及び第２のクリッピングベースの間にない状態で、第１及び第２のクリッピングベースが互いに取り付けられる、第２の構成とを有し、締結システムは、第１の構成において、ウインドウシェードの第１のパネルを第１のクリッピングベースと第１及び第２のクリッピングプレートとの間に保持し、ウインドウシェードの第２のパネルを第２のクリッピングベースと第１及び第２のクリッピングプレートとの間に保持するように構成され、締結システムは、第２の構成において、ウインドウシェードの単一のパネルを第１のクリッピングベースと第２のクリッピングベースとの間に保持するように構成される。
【０００７】
その上、本出願は、第１の垂直パネル、第２の垂直パネル、及び最外側の垂直パネルと、締結システムとを含む、ウインドウシェードを提供し、締結システムは、第１の垂直パネルを第２の垂直パネルに隣接して連結するか或いは最外側の垂直パネルの外側部分と接続するのに適する。締結システムの第１の構成は、第１の垂直パネルを第２の垂直パネルに隣接して連結するために適用され、第１の垂直パネルの頂部が、第１のクリッピングベースと第１及び第２のクリッピングプレートとの間に保持され、第２の垂直パネルの頂部が、第２のクリッピングベースと第１及び第２のクリッピングプレートとの間に保持され、締結システムの第２の構成は、最外側の垂直パネルの外側部分と接続するために適用され、外側部分の頂部が、第１のクリッピングベースと第２のクリッピングベースとの間に保持される。
【図面の簡単な説明】
【０００８】
【図１】ウインドウシェードと共に使用するのに適した締結システムの実施形態を例示する分解図である。
【図２】締結システムの第１のクリッピングベース及び第１のクリッピングプレートを例示する分解図である。
【図３】互いに取り付けられた第１のクリッピングベース及び第１のクリッピングプレートを例示する異なる視認角の下での斜視図である。
【図４】互いに取り付けられた第１のクリッピングベース及び第１のクリッピングプレートを例示する異なる視認角の下での斜視図である。
【図５】互いに取り付けられた第１のクリッピングベース及び第１のクリッピングプレートを例示する断面図である。
【図６】締結システムの第２のクリッピングベース及び第２のクリッピングプレートを例示する分解図である。
【図７】互いに取り付けられた第２のクリッピングベース及び第２のクリッピングプレートを例示する異なる視認角の下での斜視図である。
【図８】互いに取り付けられた第２のクリッピングベース及び第２のクリッピングプレートを例示する異なる視認角の下での斜視図である。
【図９】互いに取り付けられた第２のクリッピングベース及び第２のクリッピングプレートを例示する断面図である。
【図１０】第１及び第２のクリッピングプレートが第１及び第２のクリッピングベースの間に配置された状態で第１及び第２のクリッピングベースが互いに取り付けられる第１の構成における締結システムを例示する側面図である。
【図１１】第１の構成における締結システムを例示する正面図である。
【図１２】図１１に示す区画１２−１２に沿って取られた断面図である。
【図１３】図１１に示す区画１３−１３に沿って虎あれた断面図である
【図１４】締結システムの第１及び第２のクリッピングベースを例示する分解図である。
【図１５】締結システムの第２の構成における第１及び第２のクリッピングプレートを伴わずに互いに取り付けられた第１及び第２のクリッピングベースを例示する異なる視認角の下での斜視図である。
【図１６】締結システムの第２の構成における第１及び第２のクリッピングプレートを伴わずに互いに取り付けられた第１及び第２のクリッピングベースを例示する異なる視認角の下での斜視図である。
【図１７】第２の構成における締結システムを例示する正面図である。
【図１８】図１７に示す区画１８−１８に沿って取られた断面図である。
【図１９】図１７に示す区画１９−１９に沿って取られた断面図である。
【図２０】複数の垂直パネルを含むウインドウシェードの実施形態を例示する斜視図である。
【図２１】垂直パネルを取り付けるための締結システムの使用を例示する分解図である。
【図２２】隣接する垂直パネルを取り付けるために締結システムがどのように組み立てられるかを例示する拡大斜視図である。
【図２３】締結システムによって互いに取り付けられた隣接する垂直パネルを例示する拡大斜視図である。
【図２４】締結システムによって互いに取り付けられた２つの隣接する垂直パネルを例示する断面図である。
【図２５】締結システムの第２の構成における締結システムに取り付けられた最外側垂直パネルの外側部分を例示する断面図である。
【発明を実施するための形態】
【０００９】
図１は、ウインドウシェード(window  shade)と共に使用するのに適した締結システム１００(fastening  system)の実施形態を例示する分解図である。締結システム１００は、２つのクリッピングベース１０２及び１０４と、２つのクリッピングベース１０２及び１０４の間に配置可能な２つのクリッピングプレート１０６及び１０８とを含む。クリッピングベース１０２及び１０４並びにクリッピングプレート１０６及び１０８のための適切な材料の例は、プラスチック材料を含み得るが、これに限定されない。構造の例によれば、２つのクリッピングベース１０２及び１０４は、クリッピングベース１０２及び１０４が互いに取り付けられるときに互いに整合(match)し得る類似の外形境界を有することができる。２つのクリッピングプレート１０６及び１０８のそれぞれは、クリッピングベース１０２の表面積よりも小さく且つクリッピングベース１０４の表面積よりも小さい、表面積を有することができる。２つのクリッピングプレート１０６及び１０８が２つのクリッピングベース１０２及び１０４の間に位置付けられるときに、クリッピングベース１０２及び１０４によって２つのクリッピングプレート１０６及び１０８を実質的に覆うことができる。
【００１０】
本明細書に記載の締結システム１００では、クリッピングプレート１０6をクリッピングベース１０２に取り付けることができ、クリッピングプレート１０８をクリッピングベース１０４に取り付けることができ、２つのクリッピングベース１０２及び１０４の間に配置される２つのクリッピングプレート１０６及び１０８を伴って或いは伴わずに、２つのクリッピングベース１０２及び１０４を互いに取り付けることができる。図２〜図５は、締結システム１００のクリッピングベース１０２及びクリッピングプレート１０６の構造及びアセンブリを示す様々な概略図である。図６〜図９は、締結システム１００のクリッピングベース１０４及びクリッピングプレート１０８の構造及びアセンブリを示す様々な概略図である。図１０〜図１３は、２つのクリッピングベース１０２及び１０４の間に配置された２つのクリッピングプレート１０６及び１０８を備える２つのクリッピングベース１０２及び１０４のアセンブリを示す様々な概略図である。図１４〜図１９は、２つのクリッピングプレート１０６及び１０８を備えない２つのクリッピングベース１０２及び１０４の構造及びアセンブリを示す様々な概略図である。
【００１１】
本明細書に記載する締結システム１００は、２つの使用構成を有する。第１の構成では、２つのクリッピングベースプレート１０６及び１０８が２つのクリッピングベース１０２及び１０４の間に配置された状態で、２つのクリッピングベース１０２及び１０４を互いに取り付けることができ、２つのクリッピングプレート１０６及び１０８の各々は、それぞれ、２つのクリッピングベース１０２及び１０４と接触する。実施の例によれば、２つのクリッピングプレート１０６及び１０８は、第１の構成において、オーバーラップせずに(重なり合わないで)互いに隣接して位置付けられてよい。２つのクリッピングプレート１０６及び１０８は、クリッピングプレート１０６及び１０８が第１の構成において互いに隣接して配置されるときに、２つのクリッピングプレート１０６及び１０８の各々が対抗して２つのクリッピングベース１０２及び１０４と接触することができるように、実質的に等しい厚さを有してよい。第１の構成において、締結システム１００は、互いに隣接してウインドウシェードの２つのパネルを保持するように構成される。即ち、第１のパネルをクリッピングベース１０２と２つのクリッピングプレート１０６及び１０８との間に保持することができ、第２のパネルをクリッピングベース１０４と２つのクリッピングプレート１０６及び１０８との間に保持することができる。締結システム１００の第１の構成は、図１０〜図１３により良く示されている。
【００１２】
第２の構成では、２つのクリッピングベース１０２及び１０４の間に２つのクリッピングプレート１０６及び１０８を伴わないで、２つのクリッピングベース１０２及び１０４を互いに取り付けることができる。第２の構成において、締結システム１００は、２つのクリッピングベース１０２及び１０４の間にウインドウシェードの単一パネルを保持するように構成される。締結システム１００の第２の構成は、図１４〜図１９により良く示されている。
【００１３】
図１〜図３を参照すると、クリッピングベース１０４に向かって方向付けられたクリッピングベース１０２の内面１０２Ａは、互いに隣接した２つのベース領域１１２及び１１４を有することができる。その上、クリッピングベース１０２は、ウインドウシェードのパネルを貫通するように構成される複数の歯１１６と、複数の穴１１８とを含むことができる。歯１１６及び穴１１８は、２つのベース領域１１２及び１１４に亘って分散され、歯１１６は、内面１０２Ａの２つのベース領域１１２及び１１４から突出する。構造の例によれば、クリッピングベース１０２及びその上に設けられる歯１１６は、プラスチック成形によって一体部品として形成されてよい。
【００１４】
図１及び図６〜図８を参照すると、クリッピングベース１０２に向かって方向付けられたクリッピングベース１０４の内面１０４Ａは、クリッピングベース１０２の２つのベース領域１１２及び１１４にそれぞれ対応し得る、互いに隣接する２つのベース領域１２２及び１２４を有することができる。ウインドウシェードのパネルを貫通するように構成される複数の歯１２６及び複数の穴１２８は、クリッピングベース１０４の内面１０４Ａ上の２つのベース領域１２２及び１２４に亘って分配され、歯１２６は、ベース領域１２２及び１２４から突出する。構造の例によれば、クリッピングベース１０４及びその上に設けられる歯１２６は、プラスチック成形によって一体部品として形成されてよい。
【００１５】
クリッピングベース１０４にある穴１２８は、クリッピングベース１０２にある歯１１６をそれぞれ少なくとも部分的に受け入れるように構成され、クリッピングベース１０４の２つのベース領域１２２及び１２４にある孔１２８の分布は、クリッピングベース１０２の２つのベース領域１１２及び１１４にある歯１１６の分布と整合することができる。同様に、クリッピングベース１０２にある孔１１８は、クリッピングベース１０４にある歯１２６をそれぞれ少なくとも部分的に受け入れるように構成され、クリッピングベース１０２の２つのベース領域１１２及び１１４にある穴１１８の分布は、クリッピングベース１０４の２つのベース領域１２２及び１２４にある歯１２６の分布と整合することができる。クリッピングベース１０２の２つのベース領域１１２及び１１４は、締結システム１００が第１及び第２の構成で使用されるときに、歯１１６が歯１２６に対して不整列の状態で、クリッピングベース１０４の２つのベース領域１２２及び１２４にそれぞれ面することができる。
【００１６】
図１〜図３を参照すると、クリッピングプレート１０６は、クリッピングプレート１０６の２つの対向する表面１０６Ａ及び１０６Ｂに分配された複数の穴１３０を含むことができる。構造の例によれば、穴１３０の各々は、クリッピングプレート１０６の２つの対向する表面１０６Ａ及び１０６Ｂで開放することができる。クリッピングプレート１０６にある穴１３０の分布は、クリッピングベース１０２のベース領域１１２にある歯１１６及びクリッピングベース１０４のベース領域１２２にある歯１２６の分布と整合することができる。クリッピングプレート１０６の穴１３０は、クリッピングベース１０２のベース領域１１２から突出する歯１１６及びクリッピングベース１０４のベース領域１２２から突出する歯１２６を少なくとも部分的に受け入れることができ、各穴１３０は、歯１１６及び１２６のうちの１つのみを受け入れる。
【００１７】
図１及び図６〜図８を参照すると、クリッピングプレート１０８は、クリッピングプレート１０８の２つの対向する表面１０８Ａ及び１０８Ｂに分配された複数の穴１３２を含むことができる。構造の例によれば、穴１３２の各々は、クリッピングプレート１０８の２つの対向する表面１０８Ａ、１０８Ｂで開放することができる。クリッピングプレート１０８にある穴１３２の分布は、クリッピングベース１０４のベース領域１２４にある歯１２６及びクリッピングベース１０２のベース領域１１４にある歯１１６の分布と整合することができる。クリッピングプレート１０８の穴１３２は、クリッピングベース１０４のベース領域１２４から突出する歯１２６及びクリッピングベース１０２のベース領域１１４から突出する歯１１６を少なくとも部分的に受け入れることができ、各穴１３２は、歯１１６及び１２６のうちの１つのみを受け入れる。
【００１８】
再び図１〜図５を参照すると、クリッピングプレート１０６及びクリッピングベース１０２がクリッピングプレート１０８及びクリッピングベース１０４とは無関係に互いに取り付け可能であるように、クリッピングプレート１０６及びクリッピングベース１０２を構成することができる。例えば、クリッピングベース１０２は、クリッピングプレート１０６をクリッピングベース１０２に取り付けるためにクリッピングプレート１０６と係合することができる１つ又はそれよりも多くのラッチ１３４を含むことができる。例示の実施形態では、２つのラッチ１３４が、クリッピングベース１０２に例示的に設けられている。しかしながら、クリッピングプレート１０６をクリッピングベース１０２に適切に取り付けるために、任意の数のラッチ１３４が設けられてよいことが理解されるであろう。
【００１９】
ラッチ１３４は、クリッピングベース１０２のベース領域１１２の上方に例示的に配置されてよい。構造の例によれば、各ラッチ１３４は、クリッピングベース１０２の内面１０２Ａの側面から突出する弾性フック１３６を含むことができる。各ラッチ１３４は、弾性フック１３６の長さに対応し得る長さＬ１で、クリッピングベース１０２の内面１０２Ａの側面から突出することができる。構造の例によれば、ラッチ１３４をクリッピングベース１０２と一体的に形成することができる。構造の別の例によれば、ラッチ１３４は、締結具(ファスナ)を介してクリッピングベース１０２に取り付けられてよい。ラッチ１３４は、クリッピングプレート１０６に設けられるそれぞれの開口１３８を通じてクリッピングプレート１０６と係合することができる。例えば、各ラッチ１３４の弾性フック１３６は、クリッピングプレート１０６をクリッピングベース１０２に取り付けるために対応する開口１３８の境界エッジと係合することができる。開口１３８は、穴１３０が分散されているクリッピングプレート１０６の表面領域の上方に設けられることができる。
【００２０】
図１及び図６〜図９を参照すると、クリッピングプレート１０８及びクリッピングベース１０４がクリッピングプレート１０６及びクリッピングベース１０２とは無関係に互いに取り付け可能でなるように、クリッピングプレート１０８及びクリッピングベース１０４を同様に構成することができる。例えば、クリッピングベース１０４は、クリッピングプレート１０８をクリッピングベース１０４に取り付けるためにクリッピングプレート１０８と係合し得る、１つ又はそれよりも多くのラッチ１４０を含むことができる。例示の実施形態において、２つのラッチ１４０は、例示的に、クリッピングベース１０４上に設けられている。しかしながら、クリッピングプレート１０８をクリッピングベース１０４に適切に取り付けるために、任意の数のラッチ１４０が設けられてよいことが理解されるであろう。
【００２１】
ラッチ１４０は、例示的に、クリッピングベース１０４のベース領域１２４の上方に配置されてよい。構造の例によれば、各ラッチ１４０は、クリッピングベース１０４の内面１０４Ａの側面から突出する弾性フック１４２を含むことができる。各ラッチ１４０は、弾性フック１４２の長さに対応し得る長さＬ２で、クリッピングベース１０４の内面１０４Ａの側面から突出することができる。構造の例によれば、ラッチ１４０をクリッピングベース１０４と一体的に形成することができる。構造の別の例によれば、ラッチ１４０は、締結具を介してクリッピングベース１０４に取り付けられてよい。ラッチ１３４及び１４０は、形状及び寸法において類似することができる。具体的には、各ラッチ１３４の長さＬ１は、各ラッチ１４０の長さＬ２と実質的に等しくあることができる。ラッチ１４０は、クリッピングプレート１０８に設けられるそれぞれの開口１４４を通じてクリッピングプレート１０８と係合することができる。例えば、各ラッチ１４０の弾性フック１４２は、クリッピングプレート１０８をクリッピングベース１０４に取り付けるために対応する開口１４４の境界エッジと係合することができる。開口１４４は、穴１３２が分散されるクリッピングプレート１０８の表面領域の上方に設けられることができる。
【００２２】
図１及び図１４〜図１９を参照すると、クリッピングベース１０２のラッチ１３４は、２つのクリッピングベース１０２及び１０４の間の２つのクリッピングプレート１０６及び１０８を伴わずに、クリッピングベース１０４をクリッピングベース１０２に取り付けるために、クリッピングベース１０４と更に係合することができる。例えば、クリッピングベース１０４は、ラッチ１３４のそれぞれの係合のための開口１４６を含むことができる。開口１４６は、クリッピングベース１０４のベース領域１２２の上方に配置されてよい。各ラッチ１３４の弾性フック１３６は、例示的に、クリッピングベース１０４をクリッピングベース１０２に取り付けるために対応する開口１４６の境界エッジと係合することができる。追加的に又は代替的に、クリッピングベース１０４のラッチ１４０は、クリッピングベース１０４が、２つのクリッピングベース１０２及び１０４の間に２つのクリッピングプレート１０６及び１０８を伴わないでクリッピングベース１０２に取り付けられるときに、クリッピングベース１０２と係合することもできる。例えば、クリッピングベース１０２は、ラッチ１４０のそれぞれの係合のための開口１４８を含むことができる。開口１４８は、クリッピングベース１０２のベース領域１１４の上方に配置されてよい。各ラッチ１４０の弾性フック１４２は、例示的に、クリッピングベース１０４をクリッピングベース１０２に取り付けるために対応する開口１４８の境界エッジと係合することができる。
【００２３】
図８、図９及び図１３を参照すると、クリッピングベース１０４は、２つのクリッピングプレート１０６及び１０８が２つのクリッピングベース１０２及び１０４の間に配置された状態で、クリッピングベース１０２をクリッピングベース１０４に取り付けるためにクリッピングベース１０２と係合することができる、１つ又はそれよりも多くのラッチ１５０を更に含むことができる。ラッチ１５０は、第１の構成において、クリッピングベース１０２をクリッピングベース１０４に取り付けるように機能することができ、第２の構成において、２つのクリッピングベース１０２及び１０４が互いに取り付けられるときに、クリッピングベース１０２から係合解除されたままであることができる。例示の実施形態では、２つのラッチ１５０が、例示的に、クリッピングベース１０４上に設けられている。しかしながら、クリッピングベース１０２をクリッピングベース１０４に適切に取り付けるために、任意の数のラッチ１５０が設けられてもよいことが理解されるであろう。
【００２４】
２つのラッチ１５０は、クリッピングベース１０４の２つのベース領域１２２及び１２４の上方にそれぞれ配置されてよい。構造の例によれば、各ラッチ１５０は、クリッピングベース１０４の内面１０４Ａの側面から突出する弾性フック１５２を含むことができる。構造の例によれば、ラッチ１５０をクリッピングベース１０４と一体的に形成することができる。構造の別の例によれば、ラッチ１５０は、締結具を介してクリッピングベース１０４に取り付けられてよい。各ラッチ１５０は、弾性フック１５２の長さに対応し得る長さＬ３で、クリッピングベース１０４の内面１０４Ａの側面から突出することができる。各ラッチ１５０の長さＬ３は、各ラッチ１３４の長さＬ１よりも大きくあることができ、各ラッチ１４０の長さＬ２よりも大きくあることができる。ラッチ１５０は、クリッピングベース１０２に設けられるそれぞれの開口１５４を通じてクリッピングベース１０２と係合することができる。例えば、各ラッチ１５０の弾性フック１５２は、クリッピングベース１０２をクリッピングベース１０４に取り付けるために対応する開口１５４の境界エッジと係合することができる。２つの開口１５４をクリッピングベース１０２のベース領域１１２及び１１４の上方にそれぞれ配置することができる。
【００２５】
図１を参照すると、クリッピングベース１０２は、ウインドウシェードのヘッドフレームに設けられたハンガ（図示せず）と係合するための開口１６０を更に含むことができる。開口１６０は、例示的に、クリッピングベース１０２の２つのベース領域１１２及び１１４の間の接続領域に隣接して、そのような接続領域に上方に配置されることができる。例示の実施形態は、例示的に、開口１６０をクリッピングベース１０２に配置するが、クリッピングベース１０２及び１０４並びにクリッピングプレート１０６及び１０８のいずれか１つは、ハンガの係合のために類似の開口を含み得ることが理解されるであろう。
【００２６】
図１〜１９に関連して、図２０〜図２５は、ウインドウシェード２００における締結システム１００の例示的な使用を例示する概略図である。図２０〜図２５を参照すると、ウインドウシェード２００は、ヘッドフレーム２０２と、複数の垂直パネル２０４とを含むことができる。ヘッドフレーム２０２は、ウインドウフレームの頂部に固定されてよく、細長い形状を有してよい。
【００２７】
各垂直パネル２０４は、織物材料、ウェブ材料、メッシュ材料、及び同等物を含むが、これらに限定されない、可撓性材料(フレキシブル材料)で作られることができる。各垂直パネル２０４は、２つの側方部分２０６と、２つの側方部分２０６の間の中央部分２０８とを含むことができる。実施形態によれば、２つの側方部分２０６及び中央部分２０８は、異なる光透過率を有してよい。例えば、中央部分２０８の光透過率は、各側方部分２０６の光透過率よりも高くてよい。各垂直パネル２０４は、それがヘッドフレーム２０２と接続されるときに、概ねＵ形状を有することができる。
【００２８】
図２１〜図２５を参照すると、前述のような複数の締結システム１００を使用して、垂直パネル２０４を互いに隣接して取り付けることができ、垂直パネル２０４をヘッドフレーム２０２の下方に吊り下げることができる。より具体的には、締結システム１００は、前述の第１の構成（即ち、２つのクリッピングプレート１０６及び１０８が２つのクリッピングベース１０２及び１０４の間に配置された状態で互いに取り付けられる２つのクリッピングベース１０２及び１０４をそれぞれ有する構成）における締結システム１００Ａと、前述の第２の構成（即ち、２つのクリッピングプレート１０６及び１０８が２つのクリッピングプレート１０２及び１０４の間に配置されていない状態で互いに取り付けられた２つのクリッピングベース１０２及び１０４をそれぞれ有する構成）における締結システム１００Ｂとを含むことができる。締結システム１００Ａ及び１００Ｂは、それぞれ、垂直パネル２０４を吊り下げるためにヘッドフレーム２０２と接続されることができる。例えば、ヘッドフレーム２０２は、締結システム１００Ａ及び１００Ｂの開口１６０とそれぞれ係合することができる複数のハンガ（図示せず）を含むことができる。
【００２９】
図１〜図１９及び図２１〜図２４を参照すると、各締結システム１００Ａは、２つの隣接する垂直パネル２０４のうちの一方の垂直パネルの頂部がクリッピングベース１０２と２つのクリッピングプレート１０６及び１０８との間に保持され、２つの隣接する垂直パネル２０４のうちの他方の垂直パネルの頂部がクリッピングベース１０４と２つのクリッピングプレート１０６及び１０８との間に保持された状態で、２つの隣接する垂直パネル２０４を互いに結合させるために、適用されることができる。例えば、垂直パネル２０４は、互いに隣接する２つの垂直パネル２０４Ａ及び２０４Ｂを含むことができ、締結システム１００Ａは、垂直パネル２０４Ａの１つの側方部分２０６Ｂに隣接して並びに他方の垂直パネル２０４Ｂの１つの側方部分２０６Ａに隣接して、配置されることができる。
【００３０】
締結システム１００Ａを組み立てるために、垂直パネル２０４Ａの側方部分２０６Ｂは、最初に、締結システム１００Ａのクリッピングベース１０２とクリッピングプレート１０６との間に保持されることができ、クリッピングベース１０２及びクリッピングプレート１０６は、前述のようにクリッピングプレート１０６の開口１３８を通じてクリッピングベース１０２のラッチ１３４をそれぞれ係合することによって互いに取り付けられる。クリッピングベース１０２から突出する歯１１６は、クリッピングベース１０２のベース領域１１２にある歯１１６がクリッピングプレート１０６にある対応する穴１３０に部分的に受け入れられた状態で、垂直パネル２０４Ａの頂部にある側方部分２０６Ｂを貫通することができ、歯１１６は、これによって、側方部分２０６Ｂをクリッピングベース１０２とクリッピングプレート１０６との間に保持することができる。
【００３１】
他の垂直パネル２０４Ｂの側方部分２０６Ａを、最初に、締結システム１００Ａのクリッピングベース１０４とクリッピングプレート１０８との間に保持することができ、クリッピングベース１０４及びクリッピングプレート１０８は、前述のようにクリッピングプレート１０８の開口１４４を通じてクリッピングベース１０４のラッチ１４０をそれぞれ係合することによって互いに取り付けられる。クリッピングベース１０４から突出する歯１２６は、垂直パネル２０４Ｂの頂部で側方部分１０６Ａを貫通することができ、クリッピングベース１０４のベース領域１２４にある歯１２６は、クリッピングプレート１０８にある対応する穴１３２に部分的に受け入れられ、それらは、それによって、側方部分２０６Ａをクリッピングベース１０４とクリッピングプレート１０８との間に保持することができる。
【００３２】
次に、前述のようにクリッピングベース１０２の開口１５４を通じてクリッピングベース１０４のラッチ１５０をそれぞれ係合することによって、垂直パネル２０４Ａの側方部分２０６Ｂ及び垂直パネル２０４Ｂの側方部分２０６Ａを互いに取り付けることができる。それによって、２つのクリッピングベース１０２及び１０４は、互いに取り付けられ、クリッピングプレート１０６は、クリッピングベース１０２のベース領域１１２とクリッピングベース１０４のベース領域１２２との間に位置付けられ、クリッピングプレート１０８は、クリッピングベース１０２のベース領域１１４とクリッピングベース１０４のベース領域１２４との間に位置付けられる。具体的には、クリッピングプレート１０６の表面１０６Ａをクリッピングベース１０２のベース領域１１２に向かって方向付け、垂直パネル２０４Ａの側方部分２０６Ｂと接触させることができ、クリッピングプレート１０６の他の表面１０６Ｂをクリッピングベース１０４のベース領域１２２に向かって方向付け、隣接する垂直パネル２０４Ｂの側方部分２０６Ａと接触させることができる。同様に、クリッピングプレート１０８の表面１０８Ａをクリッピングベース１０４のベース領域１２４に向かって方向付け、垂直パネル２０４Ｂの側方部分２０６Ａと接触させることができ、クリッピングプレート１０８の他の表面１０８Ｂをクリッピングベース１０２のベース領域１１４に向かって方向付け、隣接する垂直パネル２０４Ａの側方部分２０６Ｂと接触させることができる。
【００３３】
再び図２０、２１及び２５を参照すると、垂直パネル２０４は、任意の他の垂直パネルに取り付けられていない外側部分２０６Ｂを有する最外側の垂直パネル２０４Ｃを更に含むことができる。締結システム１００Ｂを最外側の垂直パネル２０４Ｃの外側部分２０６Ｂとの接続のために使用されることができ、外側部分２０６Ｂの頂部は、２つのクリッピングベース１０２及び１０４の間にクリッピングプレート１０６及び１０８を伴わずに互いに取り付けられる締結システム１００Ｂの２つのクリッピングベース１０２及び１０４の間に保持される。より具体的には、図１〜図１９を参照して前述したように、クリッピングベース１０４の開口１４６を通じてクリッピングベース１０２のラッチ１３４とそれぞれ係合することによって、並びにクリッピングベース１０２の開口１４８を通じてクリッピングベース１０４のラッチ１４０とそれぞれ係合することによって、２つのクリッピングベース１０２及び１０４を互いに取り付けることができる。クリッピングベース１０２から突出する歯１１６は、最外側の垂直パネル２０４Ｃの外側部分２０６Ｂを貫通することができ、クリッピングベース１０４にある対応する穴１２８に部分的に受け入れられることができ、クリッピングベース１０４から突出する歯１２６は、最外側の垂直パネル２０４Ｃの外側部分２０６Ｂを貫通することができ、クリッピングベース１０２にある対応する穴１１８に部分的に受け入れられることができ、それらは、それによって、クリッピングベース１０２及び１０４の間に外側部分２０６Ｂを保持することができる。
【００３４】
本明細書に記載する締結システムは、構成が比較的簡単であり、ウインドウシェードの垂直パネルを便利に取り付けるために使用されることができる。締結システムは、隣接する垂直パネル並びに最外側の垂直パネルの外側部分の取り付けを可能にする複数の構成を有する。
【００３５】
特定の実施形態の文脈においてのみ構造の実現を記載した。これらの実施形態は、例示的であることを意図し、限定的であることを意図しない。多くの変形、修正、追加及び改良が可能である。従って、複数の事例が単一の事例として本明細書に記載するコンポーネントについて提供されることがある。例示的な構成において個別のコンポーネントとして提示される構造及び機能性は、組み合わされた構造又はコンポーネントとして実装されてよい。これらの及び他の変形、修正、追加、及び改良は、後続の請求項の範囲に入ることがある。
【図１】
2021500159.tif 000003
【図２】
2021500159.tif 000004
【図３】
2021500159.tif 000005
【図４】
2021500159.tif 000006
【図５】
2021500159.tif 000007
【図６】
2021500159.tif 000008
【図７】
2021500159.tif 000009
【図８】
2021500159.tif 000010
【図９】
2021500159.tif 000011
【図１０】
2021500159.tif 000012
【図１１】
2021500159.tif 000013
【図１２】
2021500159.tif 000014
【図１３】
2021500159.tif 000015
【図１４】
2021500159.tif 000016
【図１５】
2021500159.tif 000017
【図１６】
2021500159.tif 000018
【図１７】
2021500159.tif 000019
【図１８】
2021500159.tif 000020
【図１９】
2021500159.tif 000021
【図２０】
2021500159.tif 000022
【図２１】
2021500159.tif 000023
【図２２】
2021500159.tif 000024
【図２３】
2021500159.tif 000025
【図２４】
2021500159.tif 000026
【図２５】
2021500159.tif 000027
【国際調査報告】
2021500159.tif 000028
2021500159.tif 000029